(57)【要約】  【課題】  記録再生装置において、テープを損傷させずに、テープ位置決めと安定したヘッド・テープ間接触性を確保できる技術を提供する。  【解決手段】  テープガイドとして、テープ対向面とは別の角度位置のテープ幅方向に、各独立に駆動可能な複数の超音波振動子が配列固定され、テープ走行時に、該複数の超音波振動子により、テープ幅方向に振動条件を制御して上記テープ対向面を加振しテープの位置決め制御を行う構成のものを備える。【選択図】  図１
2005174412.tif 000002
【特許請求の範囲】
【請求項１】
テープガイドで走行規制したテープに対しヘッドにより信号を記録または再生する記録再生装置であって、
テープ面に対向する第１の部分と、該第１の部分と別の角度位置にあってテープ幅方向に複数の超音波振動子が配列固定された第２の部分とを有するテープガイドと、
上記超音波振動子を各独立に駆動する駆動手段と、
上記ヘッドからの再生情報に基づく指示信号を上記駆動手段に入力する制御手段と、
を備え、テープ走行時に、上記複数の超音波振動子により、上記テープガイドの上記第１の部分を、テープ幅方向に振動条件を制御した状態で振動させ、該テープの位置決め制御を行う構成としたことを特徴とする記録再生装置。
【請求項２】
上記制御手段は、上記超音波振動子の加振周波数、加振振幅のいずれか一方または両方を制御する指示信号を出力する構成である請求項１に記載の記録再生装置。
【請求項３】
上記テープガイドは、上記第１の部分及び上記第２の部分がテープ幅方向に複数に分離または切欠部により複数部分に区切られ、該分離された部分または区切られた部分毎に上記超音波振動子が配され、該分離または該区切られた部分が互いに独立に振動状態を制御される構成である請求項１に記載の記録再生装置。
【請求項４】
記録再生装置において記録媒体のテープを走行規制するテープガイドであって、
テープ面に対向する第１の部分と、該第１の部分と別の角度位置にあってテープ幅方向に複数の超音波振動子が配列固定された第２の部分とを有して成り、テープ走行時に、上記複数の超音波振動子により、上記第１の部分が、テープ幅方向に振動条件を制御した状態で加振され、テープの位置決め制御を行う構成を特徴とするテープガイド。
【発明の詳細な説明】
【技術分野】
【０００１】
本発明は、テープを記録媒体とした記録再生装置におけるテープガイド技術に関する。
【背景技術】
【０００２】
データの大容量化のためには、データの記録密度の向上、トラック幅の狭化、テープ全厚みの薄膜化が必要であり、また、高速転送化のためには、記録・再生ヘッドの増加に加え、固定ヘッド装置においてはテープ走行速度の増加、回転ヘッド装置においては、回転数の高速化が必須である。かかる動作条件においては、テープとヘッド間の相対位置変動が生じ易くなる。このための対策技術としては、従来より、テープガイドの上・下ガイドフランジでの規制やガイド構造による規制などを行う強制位置決め技術がある。このうち、本発明に関連し、超音波を利用したテープ位置規制技術としては、例えば、特開平９−１８０３１３号公報（特許文献１）や特開平５−４０９９４号公報（特許文献２）に記載されたものがある。特開平９−１８０３１３号公報には、ヘッドのトラッキング精度を確保するために、テープを位置決めするガイド部のテープ接触面側に配した超音波モータにより、テープを直接、テープ幅方向に駆動するとした技術が記載されている。また、特開平５−４０９９４号公報には、ガイド内部に単一の超音波素子を内蔵し、片持ち構造のガイド部のテープしゅう動面を振動させるとした技術が記載されている。
【０００３】
【特許文献１】特開平９−１８０３１３号公報
【０００４】
【特許文献２】特開平５−４０９９４号公報
【発明の開示】
【発明が解決しようとする課題】
【０００５】
薄手テープの高速走行時におけるテープ損傷を防止するためには、テープガイド巻き付け部による走行負荷の増加を抑え、テープテンションの絶対値を下げることにより、ガイドフランジ部でのテープエッジ規制力を極力低減する必要がある。特に、テープの高速走行時は、テープ駆動源やガイド部材の振動も増加し、テープ幅方向の変動量が増大し、テープエッジに過剰な規制力が作用する。一方、データの記録・再生を行う場合は、ヘッドに対する高精度なトラッキングが要求され、そのためには、ヘッド周りでの正確なテープ位置決め制御が必要となる。記録密度が高くなるに従い、スペーシングのヘッド出力に及ぼす影響も大きくなるため、安定したヘッド・テープ間の接触性の確保が必須となる。このための対策としては、従来より、例えばテープテンションの絶対値を増加させる方法があるが、該方法では、各テープガイドでのフランジ力の増加やヘッド面での張り付き等につながることが予想される。また、上記特許文献記載技術のうち、特開平９−１８０３１３号公報記載の技術は、超音波モータを直接テープ面に当接させて該テープを移動させるため、テープ面が傷むおそれがあるし、特開平５−４０９９４号公報記載の技術は、単に、超音波加振子の剥離防止と、装置の小型・低コスト化のために、単一の超音波加振子をガイド部に設けるものであり、テープのヘッド接触性を改善しようとする技術ではない。
本発明の課題点は、上記従来技術の状況に鑑み、記録再生装置において、テープ走行時に、テープを損傷させずに、ヘッド周りで正確なテープ位置決めができ、かつ、安定したヘッド・テープ間接触性を確保できるようにすることである。
本発明の目的は、かかる課題点を解決できるテープガイド技術の提供にある。
【課題を解決するための手段】
【０００６】
上記課題点を解決するために、本発明では、記録再生装置のテープを走行規制するテープガイドとして、テープ対向面とは別の角度位置のテープ幅方向に、各独立に駆動可能な複数の超音波振動子が配列固定され、テープ走行時に、該複数の超音波振動子により、テープ幅方向に振動条件を制御して上記テープ対向面を加振しテープの位置決め制御を行う構成のものを備える。すなわち、テープ上に記録されたサーボ信号、または、データ信号を検出し、フィードバック制御により所定高さでテープを位置決めする制御を行う。複数の超音波振動子の振動により、テープ幅方向における部分的な摩擦係数の低減を図り、その結果、テープに幅方向の移行力を発生させ、テープ幅方向に移動かつ静止させる。また、高速でテープを巻き戻すモードにおいては、ガイドの摩擦係数が最小値となるように振動子を加振させ、データの記録・再生時には、最適な規制力を発生させながら安定したヘッド・テープ間接触化を図る。また、超音波振動子の部分的加振によりテープ幅方向で部分的に摩擦係数を変化させてテープ幅方向のテンション分布を変化させ、テープテンションの増加を図ることで、テープ端部におけるヘッド・テープ間接触性を改善する。
【発明の効果】
【０００７】
本発明によれば、記録再生装置において、テープ走行時に、テープを損傷させずに、正確なテープ位置決めができるとともに、安定したヘッド・テープ間接触性も確保できる。これによって、薄手テープの高速走行にも対応可能となる。データ信頼性の向上も図れる。
【発明を実施するための最良の形態】
【０００８】
以下、本発明を実施するための最良の形態につき、図面を用いて説明する。
図１は、本発明の実施形態としての記録再生装置の構成例である。
図１において、１は記録ヘッド、２は再生ヘッド、３は、記録ヘッド１で記録する信号を増幅する記録アンプ、４は、再生ヘッド２で再生した信号を増幅する再生アンプ、５は記録回路、６は再生回路、７は、再生信号からエラーレートを検出するエラーレート検出手段、８は、再生信号からサーボ信号を検出するサーボ信号検出手段、９は、制御手段としてのヘッド制御手段、１０は、同じく制御手段としてのテープガイド駆動判別手段、１１はヘッド位置決め制御手段、１２はヘッド送り駆動手段、１３は、駆動手段としての加振手段、１４、１５、１６は超音波振動子である。
【０００９】
図１の構成において、ホスト機器（図示なし）から転送されたデータａは、記録回路５によりエラー訂正符号の付加、変調等の処理をされた後、記録アンプ３で所定値に増幅され、記録ヘッド１に送られ、テープ（後述）に記録される。テープ上に記録された信号は、再生ヘッド２により再生され、再生アンプ４で増幅され、再生回路６に送られる。再生回路６では、サーボ信号及びデータを弁別し、該データは、エラーレート検出手段７にてエラー判別される。ヘッド制御手段９は、サーボ信号検出手段８からの信号と、エラーレート検出回路７のからの信号とを総合的に判断し、該判断結果に基づき、ヘッド位置決め制御手段１１を介してヘッド送り駆動手段１２により、記録ヘッド１、再生ヘッド２を一体でテープ幅方向にテープに対し相対的に移動させ、忠実にテープ上の記録トラックを再生するように位置決めする。テープガイド駆動判別手段１０は、再生回路６からの再生信号及びサーボ信号検出手段８からのサーボ信号に基づき指示信号を形成し、該指示信号を加振手段１３に入力し、該加振手段１３を駆動する。加振手段１３は、複数の超音波振動子１４、１５、１６をそれぞれ独立に駆動する。すなわち、各テープ走行モードに対応して、テープガイド駆動手段１０は、テープ位置決め制御を行った後、サーボ信号によるトラッキング制御とエラーレートを最小値にする高精度位置決め制御を行う。ヘッドとのトラッキング制御後、上記それぞれの超音波振動子を駆動した場合、微小なテープ高さ変位により再度、ヘッドとのトラッキング制御を行う必要があるため、テープを所定のテープ高さ位置に制御した後、トラッキング制御を行う。
【００１０】
図２は、本発明の実施形態としての固定ヘッド方式の記録再生装置の構成例である。
図２において、１７はテープ、１８は、テープをヘッド側に供給する供給リール、１９は、供給されたテープを巻き取る巻き取りリール、２０は回転型ローラ、２１、２２はテープガイド、１４ａ、１５ａ、１６ａは、テープガイド２１内においてテープ幅方向に配列固定された超音波振動子、１４ｂ、１５ｂ、１６ｂは、テープガイド２２内においてテープ幅方向に配列固定された超音波振動子、２３は、記録ヘッド１及び再生ヘッド２を搭載した固定ヘッドブロック（図５参照）、２４は、固定ヘッドブロック２３を搭載し高さ方向に駆動するヘッド送り手段である。超音波振動子１４ａ、１５ａ、１６ａは、テープガイド２１内においてテープ対向面位置（第１の部分）とは別の角度位置のテープ幅方向位置（第２の部分）に設けられる。同様に、超音波振動子１４ｂ、１５ｂ、１６ｂは、テープガイド２１内においてテープ対向面位置（第１の部分）とは別の角度位置のテープ幅方向位置（第２の部分）に設けられる。テープ１７は、供給リール１８と巻き取りリール１９間を往復しながら、固定ヘッドブロック２３に搭載されたヘッドにより記録、再生がなされる。図２の構成では、オープンリール式のテープパス構成としたが、供給リール１８は、装置から離脱可能なカートリッジ型のテープ収納容器（図示なし）であってもよい。かかる構成において、テープ走行時、上記テープガイド２１、２２はそれぞれ、複数の超音波振動子１４ａ、１５ａ、１６ａまたは１４ｂ、１５ｂ、１６ｂにより、テープ幅方向に振動条件を制御してテープ対向面を加振しテープの位置決め制御を行う。
【００１１】
図３は、本発明の実施形態としてのヘリカルスキャンヘッド方式の記録再生装置の構成例である。
図３において、２５は回転ドラム、２６は供給リール、２７は巻き取りリール、２８は固定ガイド、２９、３９は回転ガイド、３０、３６はテープガイド、１４ｃ、１５ｃ、１６ｃは、テープガイド３０内においてテープ幅方向に配列固定された超音波振動子、１４ｄ、１５ｄ、１６ｄは、テープガイド３６内においてテープ幅方向に配列固定された超音波振動子、３１、３５は傾斜固定ガイド、３２は記録ヘッド、３３は再生ヘッド、３７はキャプスタン、３８はキャプスタンモータ、４０はピンチローラである。超音波振動子１４ｃ、１５ｃ、１６ｃは、テープガイド３０内においてテープ対向面位置（第１の部分）とは別の角度位置のテープ幅方向位置（第２の部分）に設けられる。同様に、超音波振動子１４ｄ、１５ｄ、１６ｄは、テープガイド３６内においてテープ対向面位置（第１の部分）とは別の角度位置のテープ幅方向位置（第２の部分）に設けられる。テープ１７は、供給リール２６から各ガイドにより案内されてキャプスタン３７とピンチローラ４０により駆動されａ方向に走行する。回転ドラム２５は、記録ヘッド３２と再生ヘッド３３を搭載した回転ドラム部と固定ドラム部（図示なし）から構成される。回転ドラム２５は、ｂ方向に回転する。かかる構成において、テープ走行時、上記テープガイド３０、３６はそれぞれ、複数の超音波振動子１４ｃ、１５ｃ、１６ｃまたは１４ｄ、１５ｄ、１６ｄにより、テープ幅方向に振動条件を制御してテープ対向面を加振し、テープの位置決め制御を行う。
【００１２】
図４は、本発明の記録再生装置に用いるテープガイドの断面構成例を示す図である。
図４において、２１はテープガイド、１７はテープ、２１ｂは、テープガイド２１の上フランジ、４２、４３、４４は、テープガイド２１のテープ案内部が複数に分割された状態の円筒状の固定ガイド部材、２１ａは、テープガイド２１の下フランジ、４６は、テープガイド２１の固定軸、１４、１５、１６は、テープガイド２１内の超音波振動子、Ａ、Ｂ、Ｃはそれぞれ、超音波振動子１４、１５、１６に電圧を印加する配線である。該固定ガイド部材４２、４３、４４はそれぞれ、テープ対向面側の部分（第１の部分）と、該テープ対向面部分（第１の部分）とは別の角度位置のテープ幅方向部分（第２の部分）とを有し、該固定ガイド部材４２、４３、４４それぞれの、該別の角度位置の部分（第２の部分）すなわち固定ガイドがテープと接触しない領域部分には、超音波振動子が固定されている。固定軸４６には、固定ガイド部材４２、４３、４４、上フランジ２１ｂ、下フランジ２１ａが圧入や接着等により固定されている。
【００１３】
配線Ａを介し加振手段１３（図１）からの制御された駆動電圧が印加されると、固定ガイド部材４２は該駆動電圧に従った周波数、振幅の超音波振動を行う。該超音波振動は固定ガイド部材４２内を上記第２の部分側から上記第１の部分側に伝搬し該固定ガイド部材４２の該第１の部分を加振する。同様に、配線Ｂを介し加振手段１３（図１）からの制御された駆動電圧が印加されると、固定ガイド部材４３は該駆動電圧に従った周波数、振幅の超音波振動を行い、該超音波振動は固定ガイド部材４３内を上記第２の部分側から上記第１の部分側に伝搬し該固定ガイド部材４３の該第１の部分を加振する。さらに、配線Ｃを介し加振手段１３（図１）からの制御された駆動電圧が印加されると、固定ガイド部材４４は該駆動電圧に従った周波数、振幅の超音波振動を行い、該超音波振動は固定ガイド部材４４内を上記第２の部分側から上記第１の部分側に伝搬し該固定ガイド部材４４の該第１の部分を加振する。固定ガイド部材４２、４３、４４のそれぞれにおける上記第１の部分の超音波振動は、対向したテープ１７に伝わり、該テープ１７を幅方向に制御された周波数、振幅の振動条件で振動させる。本構成では、テープガイド２１のテープ案内部が、固定ガイド部材４２、４３、４４として複数に分離されているため、該固定ガイド部材相互間での振動の伝搬が抑えられ、上記テープ幅方向に上記振動条件による振動特性の差をつけ易くなる。本構成ではさらに、該固定ガイド部材４２、４３、４４は、振動が拘束されないように、相互間に空隙を設けてある。このように、テープ１７が、その幅方向に制御された振動条件で加振されることにより、テープの走行抵抗が軽減されるとともに、幅方向の正確な位置決めがなされ、テープ端面の、上フランジ２１ｂまたは下フランジ２１ａへの当接も回避される。また、テープ幅方向のテープテンション分布が適切に制御される結果、安定したヘッド・テープ間接触性も確保される。
【００１４】
なお、上記図４の構成では、テープガイドのテープ案内部が複数に分割された構成としているが、この他、該テープ案内部を切欠部などにより複数部分に区切った構成としてもよい。また、テープ案内部の分割数または区切り数は図４の場合の３個に限定されず、２個であってもよいし、４個以上であってもよい。また、テープ案内部は円筒状以外の形状であってもよい。また、固定ガイド部材４２、４３、４４は、固定軸４６に拘束されないように、内部を一部中空構造としてもよい。
上記図４で説明したテープガイドは、上記図２の記録再生装置においては、テープガイド２１、２２に適用され、上記図３の記録再生装置においてはテープガイド３０、３６に適用される。
【００１５】
図５〜図１０は、本発明の記録再生装置におけるテープ走行制御についての説明図である。図５は、図２で示した固定ヘッド方式の記録再生装置における固定ヘッド周りのテープパスの説明図、図６は、各テープ走行モードに応じた超音波振動子の制御方法の説明図、図７は、固定ヘッド方式の記録再生装置におけるテープパスの説明図、図８及び図９は、テープ幅方向のテープテンション分布の説明図、図１０は、図３で示したヘリカルスキャンヘッド方式の記録再生装置におけるテープパスの説明図である。
【００１６】
図５において、固定ヘッドブロック２３のテープ接触面（テープ１７に接触する面）には、複数個の記録ヘッドと再生ヘッドとがそれぞれ縦方向に配列され、テープ１７に対して同時に記録と再生を行えるようになっている。図中、２３ａ、２３ｃは記録ヘッド、２３ｂは再生ヘッドである。テープ１７が正逆両方向に走行した場合、いずれの場合も、記録ヘッド２３ａ、２３ｃで記録したトラック（図示なし）は、いわゆるリードアフターライト機能に対応して必ず再生可能である。かかる記録・再生動作を行いながら固定ヘッドブロック２３は、図５中の矢印方向に移動し、テープ１７の幅方向に複数のトラックを高密度状態で形成する。
【００１７】
図６は、図４の構成を有するテープガイドにおける、テープ走行モードに応じた超音波振動子１４、１５、１６（図４）の加振用励磁電圧の制御方法の説明図、図７は、固定ヘッド方式の記録再生装置におけるテープパスの説明図であって、上記図６のテープ走行モードに応じたテープパスの状態を示す図、図８、図９は、さらに、上記図７のテープパス状態におけるテープ幅方向のテープテンション分布の説明図である。
【００１８】
図６中のモード（イ）は、データを記録、再生するモード（通常テープ走行時とする）である。該モード（イ）のとき、超音波振動子１５に最も高い電圧Ｖ２（Ｂ）が引加される。これは、固定ガイド部材４３を最も大きいエネルギーで励振させることにより、テープ１７とテープガイドとの間に間欠的に微小な間隙を発生させ、該間隙部に空気膜を形成して、テープ１７とテープガイドとの間を固体接触の状態から、空気による流体潤滑の状態に変え、テープ１７の走行摩擦を下げるようにするためである。一般に、テープと固定式テープガイドとの間の摩擦によるテープテンションの増加率は約３０％〜５０％であるが、本発明により約１０％以下とすることが可能である。上記のように、超音波振動子１４、１５、１６によってそれそれ、固定ガイド部材４２、４３、４４が励振されることにより、テープ１７と該固定ガイド部材４２、４３、４４との間の摩擦係数は、固定ガイド部材４３で最も小さい状態となり、テープ１７は、図７（ａ）のように動的に移行し、テープガイド２１、２２のほぼ中央部で動的に支持され、図４で示すガイドの上フランジ２１ｂや下フランジ２１ａに接触することなく走行する。このとき、テープ幅方向のテープテンションＴの分布は、図８に示すように、テンション値がテープ幅方向の両端側で大きく、テープ幅の略中央部で最も低くなる分布となる。該モード（イ）の場合、最終的に図１において、サーボ信号検出手段８による制御により最適なトラッキングが得られるように、ヘッド制御手段により、ヘッド送り駆動手段１２とヘッド位置決め制御手段１１が動作する。以上により、モード（イ）においては、エラーを発生することなく、また、テープエッジダメージを生じることなく記録、再生動作が行われる。
【００１９】
図６中のモード（ロ）は、モード（イ）の状態で固定ヘッドブロック２３とテープ１７との面圧力が低下したとき、テープ１７の上下端部でヘッド面圧を安定して確保できるようにする場合のテープ走行モードである。図５に示すように、テープ１７の上エッジ側からデータを記録または再生する場合、テープエッジの状態や初期テープ曲がり癖の特性などから、該テープエッジ部でのヘッドコンタクト（テープ・ヘッド間接触性）が劣化し易くなる。以下、このための対策として、テープ１７の上側エッジ部近傍のヘッド面圧が低い場合における制御方法につき説明する。
【００２０】
テープ１７の上側エッジ部近傍のヘッド面圧が低い場合、図１のエラーレート検出手段７とサーボ信号検出手段８から上記ヘッドコンタクトの不良を特定し、テープ駆動判別手段１０が、超音波振動子１６を最大に励振させ、テープ幅方向の下方向に行くに従い、テープ１７と固定ガイド部材との間の摩擦係数が次第に小さくなるような制御を行う。この結果、テープ１７は、図７（ｂ）のように、テープガイド２１、２２それぞれの下フランジ２１ａ、２２ａに接触した状態で走行する。このときの、テープ１７のテープ幅方向のテンションＴの分布は、図９に示すように、テープ幅方向の上端側でテンション値が高く、下端側で低い分布となる。この結果、テープ１７の上側エッジ部近傍における該テープ１７と固定ヘッドブロック２３との間の面圧が増加し、安定したヘッドコンタクト（テープ・ヘッド間接触性）が確保される。この場合、テープ１７は、テープテンションＴが不均一な分布のため、下フランジ２１ａ、２２ａと接触するように下方向に移動するが、サーボ信号検出手段８の制御により、ヘッド２３が最適なトラッキング状態となるようにヘッド送り駆動手段１２を作動させるため、オフトラックを生じることもなく安定した記録または再生動作がなされる。
【００２１】
図６中のモード（ハ）は、超音波振動子１５に最大電圧Ｖｍａｘを印加し、超音波振動子１４、１６に最小電圧Ｖｍｉｎを印加して、テープガイドを励振させるモードであり、高速サーチ時のモードである。これについては、図１０のヘリカルスキャンヘッド方式の記録再生装置におけるテープパスを用いて説明する。
【００２２】
図１０において、回転ドラム２５は、ヘッド３２、３３を搭載した回転部２５ｂと螺旋状のリード（段差部）２５ｃが形成された固定部２５aとから成る。テープ１７の下エッジは、該リード２５ｃで案内規制されることで、記録ヘッド３２、再生ヘッド３３がテープの所定の位置に対し記録または再生を行う。テープ１７は、リード２５ｃに案内されながら、各テープガイド３０、３６では、その上下のフランジに接触することなく走行することが望まれる。このためには、テープ走行モードをモード（ロ）とする。高速サーチに対応するモード（ハ）では、テープガイドのテープ幅方向の中央部を、最大電圧Ｖｍａｘを印加した超音波振動子で加振することにより、該中央部の変位量を最大として、該部におけるテープ摩擦抵抗が最小となるようにする。この場合も、テープガイド部におけるテープは、高速サーチの場合はテープ走行系周りのガイド精度、回転体精度によりテープ上下変動が大となることなどを考慮して、テープガイドのテープ幅方向の略中央部に位置するように制御する。
【００２３】
上記本発明の実施形態によれば、テープを、テープガイドのフランジ部で高さ規制することなく、所定位置に位置決めして保持できるため、テープエッジにダメージが発生することを防止できる。また、テープ幅方向に部分的に変化したテンション分布を形成することができるため、テープテンションの絶対値を増大させずに、テープ・ヘッド間接触性の改善等ヘッドテープインターフェースの確保が可能となる。この結果、テープ寿命が長く、かつ、データ信頼性の高い記録再生装置を提供することができる。
【図面の簡単な説明】
【００２４】
【図１】本発明の実施形態としての記録再生装置の構成例図である。
【図２】本発明の実施形態としての固定ヘッド方式の記録再生装置の構成例図である。
【図３】本発明の実施形態としてのヘリカルスキャンヘッド方式記録再生装置の構成例図である。
【図４】本発明の記録再生装置に用いるテープガイドの断面構成例を示す図である。
【図５】固定ヘッド方式の記録再生装置における固定ヘッド周りのテープパス説明図である。
【図６】テープ走行モードに応じた超音波振動子の制御方法の説明図である。
【図７】固定ヘッド方式の記録再生装置におけるテープパスの説明図である。
【図８】テープ幅方向のテープテンション分布の説明図である。
【図９】図８と異なるテープ走行モードにおけるテープテンション分布の説明図である。
【図１０】ヘリカルスキャンヘッド方式の記録再生装置におけるテープパスの説明図である。
【符号の説明】
【００２５】
１…記録ヘッド、
２…再生ヘッド、
３…記録アンプ、
４…再生アンプ、
５…記録回路、
６…再生回路、
７…エラーレート検出手段、
８…サーボ信号検出手段、
９…ヘッド制御手段、
１０…テープガイド駆動判別手段、
１１…ヘッド位置決め制御手段、
１２…はヘッド送り駆動手段、
１３…加振手段、
１４、１５、１６、１４ａ、１５ａ、１６ａ、１４ｂ、１５ｂ、１６ｂ、１４ｃ、１５ｃ、１６ｃ、１４ｄ、１５ｄ、１６ｄ…超音波振動子、
１７…テープ、
１８、２６…供給リール、
１９、２７…巻き取りリール、
２０…回転型ローラ、
２１、２２、３０、３６…テープガイド、
２３…固定ヘッドブロック、
２４…ヘッド送り手段、
２…回転ドラム、
２８…固定ガイド、
２９、３９…回転ガイド、
３１、３５…傾斜固定ガイド、
３２…記録ヘッド、
３３…再生ヘッド、
３７…キャプスタン、
３８…キャプスタンモータ、
４０…ピンチローラ、
４２、４３、４４…固定ガイド部材、
４６…固定軸。
【図１】
2005174412.tif 000003
【図２】
2005174412.tif 000004
【図３】
2005174412.tif 000005
【図４】
2005174412.tif 000006
【図５】
2005174412.tif 000007
【図６】
2005174412.tif 000008
【図７】
2005174412.tif 000009
【図８】
2005174412.tif 000010
【図９】
2005174412.tif 000011
【図１０】
2005174412.tif 000012